(57)【特許請求の範囲】
【請求項１】
被写体へ光を照射し、かつ、前記被写体に照射した光が反射することにより形成される被写体像を撮像するスコープと、
前記スコープにより撮像された前記被写体像を画面に表示する画像表示手段と、
キャラクタ情報を前記被写体像とともに前記画面に表示するキャラクタ情報表示手段と、
治療もしくは検査を始めるため前記スコープの使用が開始されたか否かを検出するスコープ使用開始検出手段と、
前記スコープ使用開始検出手段により前記スコープの使用開始が検出された場合、前記キャラクタ情報表示手段により表示される前記キャラクタ情報を前記画面から消去するキャラクタ情報非表示手段と
を備えたことを特徴とする内視鏡装置。
【請求項２】
前記画面において非表示とするキャラクタ情報を任意に設定するための手動設定手段を有し、
前記キャラクタ情報非表示手段が、前記キャラクタ情報の中で、設定された非表示とするキャラクタ情報を前記画面から消去することを特徴とする請求項１に記載の内視鏡装置。
【請求項３】
前記非表示キャラクタ情報が、医師名、病院名、カラーバーを含むキャラクタ情報であることを特徴とする請求項２に記載の内視鏡装置。
【請求項４】
前記スコープが未使用時に載置されるハンガーを有し、かつ、前記スコープ使用開始検出手段は、前記スコープが前記ハンガーに掛けられているか否かを検出し、前記スコープが前記ハンガーに掛けられていない場合には前記スコープの使用が開始されたと判断することによって、前記スコープの使用開始を検出することを特徴とする請求項１に記載の内視鏡装置。
【請求項５】
前記スコープ使用開始検出手段が、前記被写体像の明るさが変化するか否かを検出し、前記被写体像の明るさが変化した場合には前記スコープの使用が開始されたと判断することによって、前記スコープの使用開始を検出することを特徴とする請求項１に記載の内視鏡装置。
【請求項６】
前記スコープ使用開始検出手段が、前記スコープにより撮像される前記被写体像に動きが生じているか否かを検出し、前記被写体像に動きが生じている場合には前記スコープの使用が開始されたと判断することによって、前記スコープの使用開始を検出することを特徴とする請求項１に記載の内視鏡装置。
【請求項７】
前記スコープ使用開始検出手段が、前記被写体像の色に関し、赤色の成分が他の色の成分に比べて多いか否かを検出し、赤色の成分が他の色の成分と比べて多い場合には前記スコープの使用が開始されたと判断することによって、前記スコープの使用開始を検出することを特徴とする請求項１に記載の内視鏡装置。
【請求項８】
前記スコープ使用開始検出手段が、前記スコープにより撮像される前記被写体像の輝度値を検出する輝度値検出手段を有することを特徴とする請求項１に記載の内視鏡装置。
【請求項９】
前記輝度値検出手段により検出された前記被写体像の輝度値に基づき、被写体へ照射される光量を調整するために設けられた絞りが、常に適正な光量を被写体に照射させるように、自動的に開閉することを特徴とする請求項８に記載の内視鏡装置。
【請求項１０】
前記スコープ使用開始検出手段が、前記絞りの閉じ量が前記スコープの使用開始に伴う所定量を越えるか否かを検出し、前記絞りの閉じ量が所定量を超える場合には前記スコープが使用開始されたと判断することによって、前記スコープの使用開始を検出することを特徴とする請求項９に記載の内視鏡装置。
【請求項１１】
前記スコープ使用開始検出手段が、前記輝度値検出手段により求められる前記被写体像の輝度値の変化量に基づいて前記被写体像の動きを検出し、前記被写体像の輝度値が変化することで前記被写体像の動きを検出した場合には前記スコープの使用が開始されたと判断することによって、前記スコープの使用開始を検出することを特徴とする請求項８に記載の内視鏡装置。
【請求項１２】
前記スコープ使用開始検出手段が、前記被写体像の１フレーム分における輝度値の総和の変化量が所定量を超えるか否かを検出することで、前記画面上における前記被写体像の動きを検出することを特徴とする請求項１１に記載の内視鏡装置。
【請求項１３】
前記スコープ使用開始検出手段が、前記スコープにより撮像される前記被写体像に対し、緑色、青色、赤色に応じた画像信号をそれぞれ検出する色成分検出手段を有することを特徴とする請求項１に記載の内視鏡装置。
【請求項１４】
前記スコープ使用開始検出手段が、前記色成分比較検出手段により検出される前記緑色、青色、赤色に応じた画像信号の情報量を比較し、前記赤色に応じた画像信号の情報量が前記緑色、青色に応じた画像信号の情報量に所定の情報量をそれぞれ加えたものと比べて多いか否かを検出し、前記赤色に応じた画像信号の情報量が前記緑色、青色に応じた画像信号の情報量に所定の情報量をそれぞれ加えたものと比べて多い場合には前記スコープの使用が開始されたと判断することによって、前記スコープの使用開始を検出することを特徴とする請求項１３に記載の内視鏡装置。
【請求項１５】
前記手動設定手段が、キーボードであることを特徴とする請求項２に記載の内視鏡装置。
【請求項１６】
被写体へ光を照射し、かつ、前記被写体に照射した光が反射することにより形成される被写体像を撮像するスコープと、
前記スコープにより撮像された前記被写体像を画面に表示する画像表示手段と、
キャラクタ情報を前記被写体像とともに前記画面に表示するキャラクタ情報表示手段と、
治療もしくは検査をしているため前記スコープが使用されている状態であるか否かを検出するスコープ使用状態検出手段と、
前記スコープ使用状態検出手段により前記スコープが使用状態であると検出されている期間だけ、前記キャラクタ情報表示手段により表示される前記キャラクタ情報を前記画面から消去するキャラクタ情報非表示手段と
を備えたことを特徴とする内視鏡装置。
【請求項１７】
前記画面において非表示とするキャラクタ情報を任意に設定するための手動設定手段を有し、
前記キャラクタ情報非表示手段が、前記キャラクタ情報の中で、設定された非表示とするキャラクタ情報を前記画面から消去することを特徴とする請求項１６に記載の内視鏡装置。
【請求項１８】
前記スコープが未使用時に載置されるハンガーを有し、かつ、前記スコープ使用状態検出手段は、前記スコープが前記ハンガーに掛けられているか否かを検出し、前記スコープが前記ハンガーに掛けられていないと検出される期間を前記スコープが使用されている状態であると判断することによって、前記スコープの使用状態を検出することを特徴とする請求項１６に記載の内視鏡装置。
【請求項１９】
前記スコープ使用状態検出手段が、前記被写体像の色に関し、赤色の成分が他の色の成分と比べて多いか否かを検出し、赤色の成分が他の色の成分に比べて多い期間を前記スコープが使用されている状態であると判断することによって、前記スコープの使用状態を検出することを特徴とする請求項１６に記載の内視鏡装置。
【請求項２０】
前記スコープ使用状態検出手段が、前記スコープにより撮像される前記被写体像に対し、緑色、青色、赤色に応じた画像信号を検出する色成分検出手段を有することを特徴とする請求項１６に記載の内視鏡装置。
【請求項２１】
前記スコープ使用開始検出手段が、前記色成分比較検出手段により検出される前記緑色、青色、赤色に応じた画像信号の情報量を比較し、前記赤色に応じた画像信号の情報量が前記緑色、青色に応じた画像信号の情報量に所定の情報量をそれぞれ加えたものと比べて多いか否かを検出し、前記赤色に応じた画像信号の情報量が前記緑色、青色に応じた画像信号の情報量に所定の情報量をそれぞれ加えたものと比べて多い期間を前記スコープが使用されている状態であると判断することによって、前記スコープの使用状態を検出することを特徴とする請求項２０に記載の内視鏡装置。
【発明の詳細な説明】
【０００１】
【発明の属する技術分野】
本発明は、胃など体腔内にスコープを挿入して、体腔映像をモニタに表示することで患部の治療もしくは検査を行う内視鏡装置に関し、特に体腔映像とともにモニタに表示される患者名や医師名などキャラクタ情報の表示に関する。
【０００２】
【従来の技術】
従来の内視鏡装置では、スコープを体腔内に挿入することによって得られる体腔映像をモニタに映し出すとともに、患者名や患者名のＩＤ番号などのキャラクタ情報を体腔映像とともにモニタに合わせて表示することができる。そして、治療もしくは検査をしている間に不要なキャラクタ情報をモニタの画面から消去したい場合（画面上において非表示にしたい場合）、キーボード操作により消去することが可能である。これにより、体腔映像と表示が必要なキャラクタ情報のみが画面に表示される。
【０００３】
【発明が解決しようとする課題】
ところが、不要なキャラクタ情報を画面から消去する、すなわち非表示にする場合、体腔内にスコープを挿入する前にオペレータ自らが消去操作をしなければならないため、キャラクタ情報を消去し忘れたまま、手術もしくは検査を開始してしまう場合が生じる。このとき、画面全体に体腔映像が表示されていれば、キャラクタ情報が体腔映像と重なり、患部の状態を観察する際にキャラクタ情報が障害となる恐れがある。また、スコープを挿入して治療等を開始した後に文字情報の消去を実行しようとすれば、いったん治療等を中断して文字情報を消去しなければならず、治療等の進行が妨げられる。
【０００４】
本発明は、治療もしくは検査のためにスコープを使用している場合、不要であるキャラクタ情報を自動的に画面から消去することができる内視鏡装置を得ることを目的とする。
【０００５】
【課題を解決するための手段】
本発明の内視鏡装置は、被写体へ光を照射し、かつ、被写体に照射した光が反射することにより形成される被写体像を撮像するスコープと、スコープにより撮像された被写体像を画面に表示する画像表示手段と、キャラクタ情報を被写体像とともに画面に表示するキャラクタ情報表示手段と、治療もしくは検査を始めるためスコープの使用が開始されたか否かを検出するスコープ使用開始検出手段と、スコープ使用開始検出手段によりスコープの使用開始が検出された場合、キャラクタ情報表示手段により表示されるキャラクタ情報を画面から消去するキャラクタ情報非表示手段とを備えたことを特徴とする。これにより、スコープの使用開始が自動的に検出されると、キャラクタ情報が画面から消去され、被写体像を観察するのにキャラクタ情報が障害とならない。
【０００６】
キャラクタ情報非表示手段は、キャラクタ情報の中で、治療中もしくは検査中において画面に表示する必要のない不要キャラクタ情報を消去することが望ましい。これにより、表示する必要のないキャラクタ情報だけが、画面から消去される。不要キャラクタ情報は、例えば、医師名、病院名、カラーバーを含むキャラクタ情報である。
【０００７】
内視鏡装置は、スコープが未使用な場合にスコープを載置するためのハンガーを有していることが望ましい。このとき、スコープ使用開始検出手段は、スコープがハンガーに掛けられているか否かを検出し、スコープがハンガーに掛けられていない場合にはスコープの使用が開始されたと判断することによって、スコープの使用開始を検出することが望ましい。これにより、スコープがハンガーから取り外されると、自動的にキャラクタ情報が画面から消去される。
【０００８】
スコープ使用開始検出手段は、被写体像の明るさが変化するか否かを検出し、被写体像の明るさが変化した場合にはスコープの使用が開始されたと判断することによって、スコープの使用開始を検出することが望ましい。これにより、被写体像の明るさが変化すると、自動的にキャラクタ情報が画面から消去される。
【０００９】
スコープ使用開始検出手段は、スコープにより撮像される被写体像に動きが生じているか否かを検出し、被写体像に動きが生じている場合にはスコープの使用が開始されたと判断することによって、スコープの使用開始を検出することが望ましい。これにより、被写体像に動きが生じると、自動的にキャラクタ情報が画面から消去される。
【００１０】
スコープ使用開始検出手段は、被写体像の色に関し、赤色の成分が他の色の成分に比べて多いか否かを検出し、赤色の成分が他の色の成分と比べて多い場合にはスコープの使用が開始されたと判断することによって、スコープの使用開始を検出することが望ましい。これにより、被写体像の赤色の成分が多くなると、自動的にキャラクタ情報が画面から消去される。
【００１１】
スコープ使用開始検出手段は、スコープにより撮像される被写体像の輝度値を検出する輝度値検出手段を有することが望ましい。
【００１２】
輝度値検出手段により検出された被写体像の輝度値に基づき、被写体への光量を調整するために設けられた絞りが、常に適正な光量を被写体に照射させるように、自動的に開閉することが望ましい。
【００１３】
スコープ使用開始検出手段は、絞りの開閉量が所定量を越えるか否かを検出し、絞りが所定量以上開閉した場合にはスコープが使用開始されたと判断することによって、スコープの使用開始を検出することが望ましい。これにより、被写体像の明るさが変化することによって絞りが所定量を超えて開閉すると、自動的にキャラクタ情報が画面から消去される。
【００１４】
スコープ使用開始検出手段は、輝度値検出手段により求められる被写体像の輝度値の変化量に基づいて被写体像の動きを検出し、被写体像の輝度値が変化することで被写体像の動きを検出した場合にはスコープの使用が開始されたと判断することによって、スコープの使用開始を検出することが望ましい。これにより、被写体像に動きが生じて被写体像の輝度値が変化すると、自動的にキャラクタ情報が画面から消去される。このときスコープ使用開始検出手段は、例えば、被写体像の１フレーム分における輝度値の総和の変化量が所定量を超えるか否かを検出することで、画面上における被写体像の動きを検出する。
【００１５】
スコープ使用開始検出手段は、スコープにより撮像される被写体像に対し、緑色、青色、赤色に応じた画像信号をそれぞれ検出する色成分検出手段を有することが望ましい。
【００１６】
スコープ使用開始検出手段は、色成分比較検出手段により検出される緑色、青色、赤色に応じた画像信号の情報量を比較し、赤色に応じた画像信号の情報量が緑色、青色に応じた画像信号の情報量に所定の情報量をそれぞれ加えたものと比べて多いか否かを検出し、赤色に応じた画像信号の情報量が緑色、青色に応じた画像信号の情報量に所定の情報量をそれぞれ加えたものと比べて多い場合にはスコープの使用が開始されたと判断することによって、スコープの使用開始を検出することが望ましい。これにより、赤色に応じた画像信号の情報量が緑色、青色に応じた画像信号の情報量に所定の情報量をそれぞれ加えたものと比べて多い場合、自動的にキャラクタ情報が画面から消去される。
【００１７】
内視鏡装置は、画面において非表示とするキャラクタ情報を任意に設定するための手動設定手段を有することが望ましい。これにより、使用者がスコープの使用中には消去したいキャラクタ情報を自ら選択できる。非表示とするキャラクタ情報の設定は、例えば、キーボード操作により行われる。
【００１８】
本発明の内視鏡装置は、被写体へ光を照射し、かつ、被写体に照射した光が反射することにより形成される被写体像を撮像するスコープと、スコープにより撮像された被写体像を画面に表示する画像表示手段と、キャラクタ情報を被写体像とともに画面に表示するキャラクタ情報表示手段と、治療もしくは検査をしているためスコープが使用されている状態であるか否かを検出するスコープ使用状態検出手段と、スコープ使用状態検出手段によりスコープが使用状態であると検出されている期間だけ、キャラクタ情報表示手段により表示されるキャラクタ情報を画面から消去するキャラクタ情報非表示手段とを備えたことを特徴とする。これにより、スコープが使用されている状態であると検出される間、キャラクタ情報が画面から消去され、被写体像を観察するにキャラクタ情報が障害とならない。
【００１９】
キャラクタ情報非表示手段は、キャラクタ情報の中で、治療中もしくは検査中において画面に表示する必要のない不要キャラクタ情報を消去することが望ましい。これにより、表示する必要のないキャラクタ情報だけが、画面から消去される。
【００２０】
内視鏡装置は、スコープが使用されていない状態の時にスコープを載置するためのハンガーを有していることが望ましい。このとき、スコープ使用状態検出手段は、スコープがハンガーに掛けられているか否かを検出し、スコープがハンガーに掛けられていないと検出される期間を前記スコープが使用されている状態であると判断することによって、スコープの使用状態を検出することが望ましい。これにより、スコープがハンガーから取り外されている期間だけ、自動的にキャラクタ情報が画面から消去される。
【００２１】
スコープ使用状態検出手段は、被写体像の色に関し、赤色の成分が他の色の成分と比べて多いか否かを検出し、赤色の成分が他の色の成分に比べて多い期間をスコープが使用されている状態であると判断することによって、スコープの使用状態を検出することが望ましい。これにより、被写体像の赤色の成分が多くなる期間だけ、自動的にキャラクタ情報が画面から消去される。
【００２２】
スコープ使用状態検出手段は、スコープにより撮像される被写体像に対し、緑色、青色、赤色に応じた画像信号を検出する色成分検出手段を有することが望ましい。
【００２３】
スコープ使用開始検出手段は、色成分比較検出手段により検出される緑色、青色、赤色に応じた画像信号の情報量を比較し、赤色に応じた画像信号の情報量が緑色、青色に応じた画像信号の情報量に所定の情報量をそれぞれ加えたものと比べて多いか否かを検出し、赤色に応じた画像信号の情報量が緑色、青色に応じた画像信号の情報量に所定の情報量をそれぞれ加えたと比べて多い期間をスコープが使用されている状態であると判断することによって、スコープの使用状態を検出することが望ましい。これにより、赤色に応じた画像信号の情報量が緑色、青色に応じた画像信号の情報量に所定の情報量をそれぞれ加えたものと比べて多い期間だけ、自動的にキャラクタ情報が画面から消去される。
【００２４】
【発明の実施の形態】
以下、図を参照して本発明の実施形態である内視鏡装置について説明する。
【００２５】
図１は、第１の実施形態である内視鏡装置全体を示した図である。この内視鏡装置は、胃など体腔内にスコープを挿入し、体腔映像をモニタに映し出すことによって患部の状態を治療もしくは検査するための装置である。
【００２６】
図１に示すように、電子スコープ１０は、光源装置を含むプロセッサ２０と接続されており、電子スコープ１０を体腔内に挿入することによって、体腔内の映像がプロセッサ２０を介してモニタ４１に映し出される。なお、プロセッサ２０、キーボード４２、プリンタ４３は、カートＫの中に配置され、また、ハンガーＵＨはカートＫの側面に取り付けられている。
【００２７】
電子スコープ（スコープ）１０は、体腔内に挿入されずに使用されない状態では、ハンガーＨＵに掛けられている。治療もしくは検査を開始するとき、スコープ１０はハンガーＵＨから取り外される。
【００２８】
図２は、第１の実施形態である内視鏡装置の電気回路を示したブロック図である。
【００２９】
プロセッサ２０内の光源２１から放射された光は、集光レンズ２２を介して電子スコープ１０内に設けられたライドガイドケーブル１１の入射端１１ａに入射する。ライトガイドケーブル１１に入射した光は、ライトガイドケーブル１１の出射端１１ｂから出射し、配光レンズ１２を介して体腔Ｓに照射する。体腔Ｓに照射される光量を調整するため、集光レンズ２２とライトガイドケーブル１１との間に絞り２３が設けられており、この絞り２３は絞り調整回路２４により制御される。
【００３０】
体腔Ｓに照射した光が反射することによって得られる体腔Ｓの画像は、対物レンズ１３を介してＣＣＤである撮像素子１４上において結像される。撮像素子１４上には、赤（Ｒ）、青（Ｂ）、緑（Ｂ）の各色に応じたモザイクフィルタが設けられ、光電変換により各色に応じた画像信号が撮像素子１４上において光電変換により発生する。光電変換により発生した画像信号は、映像信号処理回路２５により読み出され、撮像素子１４における１フレーム分の画像信号が映像信号処理回路２５に送られる。１画面分の画像信号は、所定の時間間隔（ここでは、１／３０秒）で順次読み出される。
【００３１】
映像信号処理回路２５では、読み出された各色に応じた画像信号に対してノイズ除去などが施されるとともに、画像信号がアナログ信号からデジタル信号に変換される。また、画像信号から輝度信号が求められ、輝度信号は映像処理回路２５からＣＰＵ２９に送られる。デジタル化された画像信号の中で、赤色Ｒに応じた画像信号はＲメモリ２６ａ、緑色Ｇに応じた画像信号はＧメモリ２６ｂ、青色Ｂに応じた画像信号はＢメモリ２６ｃにそれぞれ順次送られ、一時的に各メモリに格納される。
【００３２】
Ｒメモリ２６ａ、Ｇメモリ２６ｂ、Ｂメモリ２６ｃに格納された各色に応じた画像信号は、タイミング回路２８により同期化され、ビデオ処理回路２７に送られる。ビデオ処理回路２７では、同期化された画像信号に対してホワイトバランス調整やガンマ補正などの画像処理が行われ、さらにデジタル信号からアナログ信号に変換される。アナログ化された画像信号は、ビデオ処理回路２７から出力される。
【００３３】
キャラクタ回路３０から送られてくるキャラクタ信号とビデオ処理回路２７から送られてくるアナログ画像信号は、スイッチ３２、３３の切り替え操作により、選択的にモニタ４１、プリンタ４３へ出力され、これにより、キャラクタ情報はモニタ４１にスーパーインポーズされる。すなわち、キャラクタ信号を出力するタイミングがスイッチ３２において調整されており、ビデオ処理回路２７から送られる画像信号がモニタ４１においてキャラクタ情報を表示する位置に対応していない場合、スイッチ３２はビデオ処理回路２７と接続され、そのまま画像信号がモニタ４１に送られる。一方、ビデオ処理回路２７から送られる画像信号がキャラクタ情報を表示する位置に対応している場合、スイッチ３２はキャラクタ回路３０と接続され、キャラクタ信号がモニタ４１へ出力される。ただし、キャラクタ信号は、モニタ４１に表示するキャラクタ情報に応じた信号である。このような切り替え操作は、スイッチ３３においても実行され、プリンタ４３におけるプリンタ用紙（印刷用紙）においてキャラクタ情報が所定の位置に表示されるように、スイッチ３３が切り替えられる。このように、スイッチ３２、３３の切り替えにより、患者名や医師名などのキャラクタ情報が、体腔Ｓの映像とともにモニタ４１において表示され、また、プリンタ４３を印刷可能な状態に設定することにより、キャラクタ情報を含む体腔Ｓの画像がプリンタ用紙に記録される。スイッチ３２、３３の切り替え操作は、キャラクタ回路３０を通してキャラクタ制御回路３１により制御されおり、キャラクタ制御回路３１は、タイミング回路２８から送られてくる信号に基づいて、スイッチ３２、３３の切り替え操作を行う。
【００３４】
絞り２３の駆動に関し、本実施形態では体腔Ｓに常に適正光量が照射されるように絞り２３を自動的に開閉させる自動調光を適用しており、映像処理回路２５から送られる輝度信号に基づいて、絞り２３を開閉させるための信号がＣＰＵ２９から絞り調整回路２４へ送られる。
【００３５】
キーボード４２上では、モニタ４１に表示しない不要なキャラクタ情報を設定することが可能であり、キーボード４２が操作されると、不表示の設定に関する信号がＣＰＵ２９内のキャラクタ制御回路３１に入力される。不要なキャラクタ情報に関するデータは、ＣＰＵ２９内のメモリ（ＲＡＭ）４０に一時的に記憶され、必要に応じて読み出される。パネルスイッチ３９は、プリンタ４３への体腔Ｓの画像記録に関する操作などを実行するためのスイッチである。
【００３６】
ハンガースイッチＨＳＷは、ハンガーＵＨ内に設けられており、スイッチ信号がハンガースイッチＨＳＷからキャラクタ制御回路３１に入力される。電子スコープ１０を体腔Ｓ内に挿入して治療もしくは検査を行うために電子スコープ１０がハンガーＵＨから取り外されると、ハンガースイッチＨＳＷがＯＦＦ状態になり、ＯＦＦ信号がキャラクタ制御回路３１に入力される。このＯＦＦ信号により、電子スコープ１０の使用開始が検出される。
【００３７】
キャラクタ制御回路３１では、ハンガースイッチＨＳＷから送られてくるＯＦＦ信号に基づき、キャラクタ回路３０およびスイッチ３２、３３に対する制御信号が出力され、これにより、モニタ４１に表示されるキャラクタ情報、すなわちキーボード４２の操作により設定された不要なキャラクタ情報以外のキャラクタ情報に応じたキャラクタ信号のみが、キャラクタ回路３０から出力される。すなわち、ビデオ処理回路２７から送られる画像信号が不要なキャラクタ情報の表示位置に対応している場合には、スイッチ３２、３３はキャラクタ回路３０に接続されず、ビデオ処理回路２７と接続されたままとなる。このようなキャラクタ制御回路３１によるキャラクタ回路３０およびスイッチ３２の制御により、表示する必要のあるキャラクタ情報のみがモニタ４１において所定の場所に表示され、不必要なキャラクタ情報はモニタ４１上から消去される。同様に、キャラクタ制御回路３１によるキャラクタ回路３０およびスイッチ３３の制御により、表示する必要のあるキャラクタ情報のみが、プリンタ用紙において所定の位置に表示される。
【００３８】
タイミング回路２８では、キャラクタ制御回路３１、ビデオ処理回路２７、Ｒメモリ２６ａ、Ｇメモリ２６ｂ、Ｂメモリ２６ｃ、映像信号処理回路２５に対する同期信号が出力される。
【００３９】
ＣＰＵ２９内に設けられたＲＴＣ（Real Time Clock ）３８では、現在の日付、時刻に関するデータが読み出され、キャラクタ回路３０において日付、時刻に応じたキャラクタ信号が出力される。これにより、日付、時刻であるキャラクタ情報がモニタ４１に表示される。
【００４０】
なお、電子スコープ１０には、治療で使用する鉗子を挿入するための鉗子用管（図示せず）が設けられている。
【００４１】
図３は、電子スコープ１０がハンガーＵＨに掛けられた状態で治療もしくは検査が開始されていない時のモニタ４１の画面を示した図であり、図４は、電子スコープ１０がハンガーから取り外され、体腔Ｓ内に挿入されている時のモニタ４１の画面を示した図である。
【００４２】
図３に示すように、モニタ４１の画面Ｗには、電子スコープ１０により撮像される映像が映し出され、それとともに様々なキャラクタ情報が表示される。本実施形態では、画面Ｗの右上において、患者の名前Ｓ１、性別Ｓ２、年齢Ｓ３、およびＩＤ番号Ｓ４といったキャラクタ情報が表示されており、また、画面Ｗの右下には、医師名Ｓ５、日付Ｓ６、時刻Ｓ７が表示される。画面Ｗの最上部中央には、病院名Ｓ８が表示され、また、画面Ｗの下には、カラーバーＣＬが表示されている。なお、カラーバーＣＬは、モニター４１の調整時に使用される。
【００４３】
電子スコープ１０が使用されていない状態であるため、画面Ｗには、電子スコープ１０がハンガーＵＨに掛けられた状態で撮像される映像が映し出される。そして、この待機状態の間、カラーバーＣＬを使用した画面Ｗの画質調整や、画面Ｗから消去する不用なキャラクタ情報の設定などを、キーボード４２の操作により行うことができる。ここでは、医師名Ｓ５、病院名Ｓ８，カラーバーＣＬを不要なキャラクタ情報と設定する。
【００４４】
治療もしくは検査を開始するため電子スコープ１０がハンガーから外されて体腔Ｓ内に挿入されると、図４に示すように、体腔Ｓの映像が画面Ｗ全体に映し出される。このとき、医師名Ｓ５、病院名Ｓ８、カラーバーＣＬといった不要なキャラクタ情報は消去され、患部ＪはカラーバーＣＬと重なることなく画面Ｗに表示される。これにより、患部Ｊの状態を容易に確認することができる。
【００４５】
このように、本実施形態では、電子スコープ１０の使用が開始されると、表示しなくてもよい不要なキャラクタ情報は、画面Ｗから消去される。
【００４６】
なお、オペレータによる不要なキャラクタ情報の設定は、キーボード４２上の移動キー、ファンクションキー、エンターキー等の操作により実行される。ファンクションキーＦ５を操作すると、画面Ｗには、キャラクタ情報Ｓ１〜Ｓ８およびカラーバーＣＬを表す文字情報「ｃｏｌｏｒ  ｂａｒ」が並んで表示され、上下の移動キー（↑↓）により、不要なキャラクタ情報が選択される。そして、エンターキーを押すことにより、表示しないキャラクタ情報が設定される。再び、ファンクションキーＦ５が操作されると、図３に示す画面Ｗが表示される。また、不要なキャラクタ情報の設定を解除する場合、ファンクションキーＦ５を押し、設定された不要なキャラクタ情報を移動キーにより選択し、バックスペースキーを押すことにより、設定が解除される。
【００４７】
また、治療もしくは検査が終了して、消去された不要なキャラクタ情報を再び画面Ｗに表示させる場合、キーボード４２のファンクションキーＦ１が操作される。
【００４８】
図５は、不要なキャラクタ情報の消去動作を示したフローチャートである。
【００４９】
ステップ１０１では、電子スコープ１０がハンガーＵＨに掛けられた状態で、ハンガースイッチＨＳＷ（図２参照）がＯＮ状態であるか否かが判定される。ハンガースイッチＨＳＷがＯＮ状態ではない、すなわち電子スコープ１０がハンガーＵＨから取り外されたと判断されると、ステップ１０２に移る。ハンガースイッチＨＳＷがＯＮ状態であると判断されると、ハンガースイッチＨＳＷがＯＦＦ状態になるまで、繰り返しステップ１０１が実行される。
【００５０】
ステップ１０２では、設定された不要なキャラクタ情報（ここでは、医師名Ｓ５、病院名Ｓ８、カラーバーＣＬ）に関するデータがＲＡＭ４０から読み出される。そして、ステップ１０３では、キャラクタ制御回路３１によりキャラクタ回路３０およびスイッチ３２、３３が制御される。すなわち、ビデオ処理回路２７（図１参照））から送られる画像信号が画面Ｗ上において不要なキャラクタ情報の位置と対応している場合には、スイッチ３２はキャラクタ回路３０と接続されず、ビデオ処理回路２７と接続される。スイッチ３３についても、スイッチ３２の切り替え操作と同じように、切り替え操作が行われる。
【００５１】
ステップ１０４では、表示するキャラクタ情報に応じたキャラクタ信号のみが、スイッチ３２の切り替え操作によりモニタ４１へ出力され、これにより、不要なキャラクタ情報を除いたキャラクタ情報のみが、体腔Ｓの映像とともに画面Ｗに表示される。不要なキャラクタ情報が画面Ｗから消去されると、この消去動作は終了する。同じように、プリンタ４３により印刷が行われた場合、必要なキャラクタ情報のみが、プリンタ用紙に印刷される。
【００５２】
このように、第１の実施形態によれば、電子スコープ１０がハンガーＵＨから取り外されてハンガースイッチＨＳＷがＯＦＦ状態になると、電子スコープ１０の使用が開始されたと判断され、キャラクタ回路３０およびスイッチ３２、３３がキャラクタ制御回路３１に制御されることにより、不要なキャラクタ情報が画面Ｗから消去される。すなわち、スイッチ３２、３３の切り替え操作により、不要なキャラクタ情報を非表示とし、表示する必要のあるキャラクタ情報のみ画面Ｗもしくはプリンタ用紙に表示される。このように、電子スコープ１０がハンガーＵＨから取り外されるのを検出することで、電子スコープ１０の使用開始を自動的に検出し、不要なキャラクタ情報を画面Ｗから消去できる。したがって、キーボード４２を操作して不要なキャラクタ情報の消去を行う必要がなく、キャラクタ情報を消去し忘れて体腔Ｓの映像を観察するのにキャラクタ情報が障害となる心配がない。
【００５３】
キーボード４２の操作により、画面Ｗから消去する不要なキャラクタ情報を任意に設定することができる。したがって、オペレータは、消去したいキャラクタ情報を自ら選択することができる。なお、医師名Ｓ５、病院名Ｓ８，カラーバーＣＬ以外のキャラクタ情報を、不要なキャラクタ情報に設定してもよい。また、、電子スコープ１０を使用するとき、すべてのキャラクタ情報を画面Ｗから消去してもよい。
【００５４】
次に、図６、図７を用いて、第２の実施形態の内視鏡装置について説明する。第２の実施形態では、電子スコープ１０により撮像される体腔Ｓの画像の明るさに急激な変化が生じた場合にスコープの使用が開始されたと判断する構成になっており、それ以外の構成に関しては、第１の実施形態と同じである。
【００５５】
図６は、第２の実施形態の内視鏡装置における電気回路を示したブロック図である。第２の実施形態では、ハンガースイッチＨＳＷの代わりに絞り調整判別回路３４が設けられている。
【００５６】
治療もしくは検査が開始される前において画面Ｗに表示される体腔Ｓの映像は、被写体と電子スコープ１０の先端との距離が離れていて光が被写体にたくさん照射しないため、暗い映像となる。そのため、体腔Ｓの映像が明るく表示されるように、絞り２１は開放状態に定められる。治療もしくは検査が開始されて電子スコープ１０が体腔Ｓ内に挿入されると、電子スコープ１０の先端と体腔Ｓとの距離が短くなるため、体腔Ｓに照射される光量が急激に増加し、体腔Ｓの映像が急激に（２倍近く）明るくなる。このとき、必要以上に光が体腔Ｓに照射して体腔Ｓの映像が明るくなり過ぎるのを防ぐため、絞り２１が自動的に絞られる。
【００５７】
絞り調整判別回路３４には、絞り２３の開閉量（駆動量）に関する信号が入力され、絞り２３の開閉量が検出される。そして、絞り２３の開閉量が一定の開閉量を超えた場合、電子スコープ１０の使用開始に関する信号がＣＰＵ２９内のキャラクタ制御回路３１に送られる。この信号に基づいて、キャラクタ回路３０およびスイッチ３２，３３がキャラクタ制御回路３１に制御され、不必要なキャラクタ情報が画面Ｗから消去される。
【００５８】
図７は、キャラクタ情報の消去動作を示すフローチャートである。電子スコープ１０がハンガーＵＨに掛けられた状態で内視鏡装置に電源がＯＮになると、絞り２１は、初め開放状態に定められる。
【００５９】
ステップ２０１では、絞り２３が開放状態であるか否かが判定される。絞り２３が開放状態であると判断されると、ステップ２０２に移る。絞り２３が開放状態ではないど判断された場合、絞り２３が開放状態になるまでステップ２０１が繰り返し実行される。
【００６０】
ステップ２０２では、絞り２３の駆動が開始されたか否かが判定される。絞り２３の駆動が開始されたと判断されると、ステップ２０３に移る。絞り２３の駆動がまだ開始されていないと判断された場合、絞り２３が駆動されるまでステップ２０２が繰り返し実行される。
【００６１】
ステップ２０３では、絞り２３の駆動が停止されたか否かが判定される。絞り２３の駆動が停止されたと判断されると、ステップ２０４に移る。絞り２３がまだ駆動されている状態であると判断されると、絞り２４の駆動が停止するまでステップ２０３が繰り返し実行される。
【００６２】
ステップ２０４では、絞り２３の開閉量Ｐが使用開閉量Ｐ０を超えているか否かが判定される。使用開閉量Ｐ０は、開閉量Ｐが電子スコープ１０の使用開始に伴う開閉量である場合の最低限の開閉量であり、ここでは次式で求められる。ただし、ＰＡは、絞り２３の全開閉量（開放状態から閉塞状態までの開閉量）を示す。
Ｐ０＝ＰＡ／２                    ・・・・・（１）
絞り２３の開閉量が使用開閉量Ｐ０を超えていると判断されると、電子スコープ１０の使用開始に関する信号が絞り調整判別回路３４からキャラクタ制御回路３１に送られ、ステップ２０５に移る。絞り２３の開閉量が使用開閉量Ｐ０を超えていないと判断された場合、ステップ２０１に戻る。
【００６３】
ステップ２０５〜２０７の実行は、図５のステップ１０２〜１０４の実行と同じである。ステップ２０５〜２０７が実行されると、この消去動作は終了する。
【００６４】
このように第２の実施形態によれば、絞り２１が使用開閉量Ｐ０を超えて駆動された場合に電子スコープ１０の使用が開始されたと判断され、電子スコープ１０の使用開始に関する信号が、絞り調整判別回路３４からキャラクタ制御回路３１に送られる。この信号に基づいて、不要なキャラクタ情報が画面Ｗから消去され（非表示とされ）、必要なキャラクタ情報のみが画面Ｗもしくはプリンタ用紙に表示される。すなわち、電子スコープ１０が体腔Ｓ内に挿入されることによって被写体像の明るさが変化するのを絞り２３の駆動により検出することで、電子スコープ１０の使用開始を自動的に検出し、不要なキャラクタ情報を画面Ｗから消去することができる。
【００６５】
この実施形態では、絞り２３の開閉量Ｐが使用開閉量Ｐ０（前開閉量ＰＡの半分）を超えた場合に電子スコープ１０の使用が開始されたと判断するが、使用開閉量Ｐ０は、全開閉量ＰＡの半分に限定されない。
【００６６】
被写体像の明るさの変化を検出するため、絞り２３の開閉量の代わりに１フレーム分の輝度信号（平均値）の変化を直接検出してもよい。
【００６７】
図８〜図１０を用いて、第３の実施形態の内視鏡装置について説明する。第３の実施形態では、電子スコープ１０が撮像する被写体像に動きが生じた場合にスコープの使用が開始されたと判断する構成になっており、他の構成に関しては、第１の実施形態と同じである。
【００６８】
図８は、第３の実施形態における内視鏡装置の電気回路を示したブロック図である。第３の実施形態では、ハンガースイッチＨＳＷの代わりに映像変化判別回路３５、判別メモリ３６、Ｙメモリ３７が設けられている。判別メモリ３６、Ｙメモリ３７は、タイミング回路２８と接続されている。
【００６９】
治療もしくは検査が開始される前、電子スコープ１０はハンガーＵＨに掛けられた状態であり、モニタ４１の画面Ｗには同じ被写体像が映し出され、被写体像に動きは生じない。治療もしくは検査が開始されて電子スコープ１０がオペレータに保持されると、電子スコープ１０の先端が振られるため、電子スコープ１０が撮像する被写体像に動きが生じる。
【００７０】
被写体像に動きが生じると、動きが生じる前の被写体像の画像信号と動きが生じた後の被写体像の画像信号は一致しない。すなわち、被写体像の動きが生じる前後において、画像信号は変化する。ここでは、輝度信号の変化に基づいて被写体像の動きを検出する。
【００７１】
Ｙメモリ３７には、映像信号処理回路２５から出力される輝度信号が１フレーム分毎に順次格納される。格納された１フレーム分の輝度信号は、映像変化判別回路３５に順次送られる。判別メモリ３６にも、１フレーム分の輝度信号がＹメモリ３７から順次入力されるが、格納された輝度信号は、タイミング回路２８によるタイミング調整により、１フレーム分走査する時間（１／３０秒）だけ遅れて映像変化判別回路３５に送られる。これにより、映像変化判別回路３５では、Ｙメモリ３７に入力されてくる１フレーム分の輝度信号と判別メモリ３７から出力される前回走査時における１フレーム分の輝度信号（以下、前回輝度信号という）とが、同じタイミングで入力される。
【００７２】
映像変化判別回路３５では、Ｙメモリ３７から送られてくる輝度信号と判別メモリ３６から送られてくる前回輝度信号との差である輝度信号変化量が求められ、輝度信号変化量が所定変化量を超えている場合には電子スコープ１０の使用が開始されたと判断し、電子スコープ１０の使用開始に関する信号がキャラクタ制御回路３１に送られる。この信号に基づいて、キャラクタ回路３０およびスイッチ３２、３３がキャラクタ制御回路３１により制御され、不要なキャラクタ情報がモニタ４１から消去される。
【００７３】
図９は、キャラクタ情報の消去動作を示したフローチャートである。ここでは、一定の時間間隔で順次走査されていくフレームを第ｎ番目のフレーム（ｎ＝１、２・・・・）として順番をつける。比較対象である輝度信号の値は、ここでは１フレーム分の輝度信号とする。すなわち、撮像素子１４における各画素の輝度信号の総和の値である。
【００７４】
ステップ３０１では、第ｎ−１番目のフレームの輝度信号が判別メモリ３６、Ｙメモリ３７に入力される。ステップ３０２では、第ｎ番目のフレームの輝度信号がＹメモリ３７から映像変化判別回路３５へ送られるとともに、判別メモリ３６に格納されている第ｎ−１番目のフレームの輝度信号（前回輝度信号）が映像変化判別回路３５に送られる。
【００７５】
ステップ３０３では、映像変化判別回路３５において輝度信号変化量ΔＧが求められる。ただし、輝度信号変化量ΔＧは、第ｎフレームにおける各画素毎の輝度信号の総和と第ｎ−１番目のフレームにおける各画素毎の輝度信号の総和との差である。そして、輝度信号変化量ΔＧが動き変化量ＧＴを超えるか否かが判定される。動き変化量ＧＴは、ここでは第ｎフレームの輝度信号の総和の２割とする。すなわち、輝度信号の総和が前回走査された時の輝度信号の総和と２割以上異なる場合に被写体像に動きが生じているものとする。輝度信号変化量ΔＧが動き変化量ＧＴを超えていると判断されると、電子スコープ１０の使用開始に関する信号がキャラクタ制御回路３１に送られ、ステップ３０４に移る。輝度信号変化量ΔＧが動き変化量ＧＴを超えていないと判断された場合、ステップ３０１に戻る。
【００７６】
ステップ３０１〜３０３が繰り返し実行されると、輝度信号の総和の変化量ΔＧが１フレーム分走査する度に求められ、被写体像の動きが生じているか順次検出される（図１０参照）。
【００７７】
ステップ３０４〜ステップ３０６の実行は、第１の実施形態における図５のステップ１０２〜１０４の実行と同じである。ステップ３０４〜３０６が実行されると、この消去動作は終了する。
【００７８】
このように、第３の実施形態によれば、映像変化判別回路３５において、前回走査された１フレーム分の輝度信号の総和と次に走査された１フレーム分の輝度信号の総和との差（輝度信号変化量ΔＧ）が動き変化量ＧＴを超えている場合には被写体像に動きが生じていると判断し、電子スコープ１０の使用開始を検出する。このように、治療もしくは検査のために電子スコープ１０が動かされることによって生じる輝度信号の変化から被写体像の動きを検出することによって、電子スコープ１０の使用開始を自動的に検出し、不要なキャラクタ情報を画面Ｗから消去し（非表示とし）、必要なキャラクタ情報のみ画面Ｗもしくはプリンタ用紙に表示することができる。
【００７９】
輝度信号の変化量に基づいて被写体像の動きを検出する代わりに、輝度信号に近い値をとる緑色Ｇに応じた画像信号に基づいて被写体像の動きを検出してもよい。また、動きベクトルを求めることにより被写体像の動きを検出してもよい。
【００８０】
図１１、１２を用いて、第４の実施形態である内視鏡装置について説明する。第４の実施形態は、被写体像において赤色の成分が他の色の成分に比べて多くなった場合にスコープの使用が開始されたと判断する構成になっており、他の構成に関しては、第１の実施形態と同じである。
【００８１】
図１１は、第４の実施形態である内視鏡装置の電気回路を示したブロック図である。第４の実施形態では、ハンガースイッチＨＳＷの代わりに映像信号判別回路４４が設けられている。
【００８２】
映像信号判別回路４４には、Ｒメモリ２６ａ、Ｇメモリ２６ｂ、Ｂメモリ２６ｃからそれぞれ赤、緑、青色に応じた画像信号が１フレームずつ順次入力される。
【００８３】
体腔Ｓ内の表面は、血管の影響から赤い色をしており、電子スコープ１０が体腔Ｓ内に挿入されると、撮像される被写体像は、赤色の成分が多い画像となる。映像信号判別回路４４では、赤色Ｒに応じた画像信号の情報量と、緑色Ｇ、青色Ｂに応じた画像信号の情報量が比較され、赤色Ｒに応じた画像信号の情報量が緑色Ｇ、青色Ｂの情報量と比べて多くなる場合、電子スコープ１０の使用が開始されたと判断され、電子スコープ１０の使用開始に関する信号がキャラクタ制御回路３１に送られる。この信号に基づいて、キャラクタ回路３０およびスイッチ３２、３３が制御され、不要なキャラクタ情報が画面Ｗから消去される。
【００８４】
図１２は、キャラクタ情報の消去動作を示すフローチャートである。ここでは、各色に応じた画像信号の情報量を、１フレーム分の情報量とする。
【００８５】
ステップ４０１では、Ｒ、Ｇ、Ｂに応じた１フレーム分の画像信号が映像信号判別回路４１に入力される。ステップ４０２では、赤色Ｒに応じた画像信号の情報量ＲＩと緑色Ｇ、青色Ｂに応じた画像信号の情報量ＧＩ、ＢＩとが次式で示すように比較される。
ＲＩ≧ＧＩ＋Ｓ１          ・・・・・（２）
ＲＩ＞ＢＩ＋Ｓ２          ・・・・・（３）
赤色に応じた情報量ＲＩが（２）式および（３）式両方を満たすと判断されると、ステップ４０３に移る。赤色に応じた情報量ＲＩが（２）式および（３）式の少なくともいずれか１つの式を満たさない場合、ステップ４０１に戻る。なお、情報量定数Ｓ１，Ｓ２は、ここでは、両方ともＲＩ／２とする。すなわち、赤色に応じた情報量ＲＩが、緑色、青色に応じた情報量ＧＩ、ＢＩより２倍多い場合に電子スコープ１０の使用が開始されたと判断される。
【００８６】
ステップ４０３〜４０５の実行は、第１の実施形態における図５のステップ１０２〜１０４の実行と同じである。ステップ４０３〜４０５が実行されると、この消去動作は終了する。
【００８７】
こののように、第４の実施形態によれば、映像信号判別回路４４において、赤色に応じた画像信号の情報量ＲＩが、緑色Ｇ，青色Ｂに応じた画像信号の情報量ＧＩ、ＢＩと比較され、画像信号の情報量ＲＩが（２）、（３）式を満たす場合には電子スコープ１０の使用が開始されたと判断し、電子スコープ１０の使用開始を検出する。このように、被写体像の赤色の成分が他の色の成分に比べて多くなるのを検出することによって、電子スコープ１０の使用開始を自動的に検出し、不要なキャラクタ情報を画面から消去することができる。
【００８８】
図１３を用いて、第５の実施形態について説明する。第５の実施形態では、電子スコープ１０がハンガーＵＨから取り外されている期間だけ不要なキャラクタ情報を画面から消去する構成になっている。他の構成に関しては、第１の実施形態と同じであり、ブロック図の説明は省略する。
【００８９】
図１３は、電子スコープ１０が使用されている期間だけ不要なキャラクタ情報を消去する消去動作を示したフローチャートである。
【００９０】
ステップ５０１〜５０４の実行は、ステップ１０１〜１０４の実行と同じであり、電子スコープ１０がハンガーＵＨから取り外されると、不要なキャラクタ情報が画面から消去され、必要なキャラクタ情報のみが画面Ｗもしくはプリンタ用紙に表示される。
【００９１】
ステップ５０５では、ハンガースイッチＨＳＷがＯＦＦ状態であるか否かが判定される。すなわち、治療もしくは検査がまだ終了せず電子スコープ１０が使用されている状態であるか否かが判定される。ハンガースイッチＨＳＷがＯＮ状態、すなわち治療もしくは検査が終了して電子スコープ１０が再びハンガーＵＨに掛けられることにより、ハンガースイッチＳＷがＯＮ状態であると判断されると、ステップ５０６に移る。ハンガースイッチＨＳＷがＯＮ状態ではないと判断された場合、ハンガースイッチＨＳＷがＯＮ状態になるまでステップ５０５が繰り返し実行される。
【００９２】
ステップ５０６では、キャラクタ制御回路３１に入力されたハンガースイッチＨＳＷからのＯＮ信号に基づいて、キャラクタ回路３０およびスイッチ３２、３３がキャラクタ制御回路３１により制御され、すべてのキャラクタ情報に応じたキャラクタ信号が、モニタ４１およびプリンタ４３へ出力される。そして、ステップ５０７では、電子スコープ１０が使用されている期間消去されていたキャラクタ情報が、再び画面Ｗに表示される。消去されていた不要なキャラクタ情報が再び画面Ｗに表示されると、この消去動作は終了する。
【００９３】
このように第５の実施形態では、ハンガースイッチＨＳＷがＯＦＦ状態である期間だけ、不要なキャラクタ情報が画面Ｗから消去される（非表示とされる）。電子スコープ１０がハンガーＵＨから外されている期間を電子スコープ１０が使用されている状態であると判断することによって、自動的に電子スコープ１０の状態を検出することができる。したがって、治療もしくは検査終了後、カラーバーＣＬなどを再び画面Ｗに表示させるため、キーボード４２の操作をする必要がない。
【００９４】
図１４を用いて、第６の実施形態について説明する。第６の実施形態では、被写体像の色に関し、赤色の成分が他の色の成分に比べて多い期間だけ不要なキャラクタ情報を画面から消去する構成になっている。他の構成に関しては、第４の実施形態と同じであり、ブロック図の説明は省略する。
【００９５】
図１４は、第６の実施形態における消去動作を示したフローチャートである。
【００９６】
ステップ６０１〜６０５の実行は、図１２のステップ４０１〜４０５の実行と同じであり、被写体像の赤色Ｒに応じた情報量ＲＩが、所定情報量Ｓ１、Ｓ２を加えた緑色Ｇ、青色Ｂに応じた情報量ＧＩ、ＢＩより多くなると、不要なキャラクタ情報を画面Ｗから消去する。
【００９７】
ステップ６０６、６０７の実行は、ステップ６０１、６０２の実行と同じである。すなわち、１フレーム分の赤色、緑色、青色に応じた画像信号が映像信号判別回路４４に順次入力され、赤色に応じた情報量ＲＩが（２）と（３）式両方を満たしているか否かが判定される。情報量ＲＩが（２）、（３）式を満たしてないと判断されると、ステップ６０７に移る。情報量ＲＩが（２）、（３）式をまだ満たしていると判断された場合、ステップ６０６に戻る。
【００９８】
ステップ６０８、６０９の実行は、第５の実施形態における図１３のステップ５０６、５０７の実行と同じである。消去されていた不要なキャラクタ情報が再び画面Ｗに表示されると、この消去動作は終了する。
【００９９】
このように第６の実施形態によれば、赤色Ｒに応じた画像信号の情報量ＲＩが（２）、（３）式を満たす期間だけ、不要なキャラクタ情報が画面Ｗから消去される。被写体像の赤色の成分が他の色の成分に比べて多い状態を電子スコープ１０が使用されている状態であると判断することによって、電子スコープ１０の使用状態を自動的に検出することができる。
【０１００】
【発明の効果】
以上のように本発明によれば、治療もしくは検査のためにスコープを使用している場合、不要であるキャラクタ情報を自動的に画面から消去することができる。
【図面の簡単な説明】
【図１】内視鏡装置を正面から見た平面図である。
【図２】第１の実施形態である内視鏡装置の電気回路を示したブロック図である。
【図３】電子スコープが使用される前の被写体像が表示された画面を示した図である。
【図４】電子スコープを使用する時の被写体像が表示された画面を示した図である。
【図５】不要キャラクタ情報の消去動作を示したフローチャートである。
【図６】第２の実施形態である内視鏡装置の電気回路を示したブロック図である。
【図７】不要キャラクタ情報の消去動作を示したフローチャートである。
【図８】第３の実施形態である内視鏡装置の電気回路を示したブロック図である。
【図９】不要キャラクタ情報の消去動作を示したフローチャートである。
【図１０】連続するフレーム間の輝度信号の差を示した図である。
【図１１】第４の実施形態である内視鏡装置の電気回路を示したブロック図である。
【図１２】不要キャラクタ情報の消去動作を示したフローチャートである。
【図１３】不要キャラクタ情報の消去動作を示したフローチャートである。
【図１４】不要キャラクタ情報の消去動作を示したフローチャートである。
【符号の説明】
１０    電子スコープ
４１    モニタ
４２    キーボード
ＨＳＷ  ハンガースイッチ
ＵＨ    ハンガー
Ｗ      画面
３４    絞り調整判別回路
３５    映像変化判別回路
３６    判別メモリ
３７    Ｙメモリ
４４    映像信号判別回路
【図１】
0004447071.tif 000002
【図２】
0004447071.tif 000003
【図３】
0004447071.tif 000004
【図４】
0004447071.tif 000005
【図５】
0004447071.tif 000006
【図６】
0004447071.tif 000007
【図７】
0004447071.tif 000008
【図８】
0004447071.tif 000009
【図９】
0004447071.tif 000010
【図１０】
0004447071.tif 000011
【図１１】
0004447071.tif 000012
【図１２】
0004447071.tif 000013
【図１３】
0004447071.tif 000014
【図１４】
0004447071.tif 000015